(57)【要約】【課題】医用画像と患者情報との対応付けを間違いなく行えるようにする。【解決手段】本発明に係る医用画像管理装置３によれば、制御部３１は、ビューア画面３５１において操作部３４により診断対象の患者が指定され、画像取込ボタン７４が押下されると、上記指定された患者の医用画像として取込む画像の枚数を設定するための枚数設定画面３５３を画面上にポップアップ表示する。枚数設定画面３５３において枚数が入力され、ＯＫボタン９２が押下されると、通信部３６により受信された医用画像を上記指定された患者の患者情報と対応付けて記憶し、設定された枚数に到達すると、画像取込動作を停止する。【選択図】図８
2010125021.tif 000002
【特許請求の範囲】
【請求項１】
医用画像を受信する受信手段と、
医用画像を記憶する医用画像記憶手段と、
患者情報を記憶する患者情報記憶手段と、
前記患者情報記憶手段に患者情報が記憶されている患者の中から診断対象の患者を指定するための操作手段と、
前記受信手段により受信される医用画像を前記操作手段により指定された患者の医用画像として取込む指示を入力するための取込み指示手段と、
前記指定された患者の医用画像として取込む画像の枚数を設定するための枚数設定手段と、
前記取込み指示手段による指示が入力された後、前記設定された画像枚数に到達するまで、前記受信手段により受信された医用画像を前記指定された患者の患者情報と対応付けて前記医用画像記憶手段に記憶させる制御手段と、
を備える医用画像管理装置。
【請求項２】
表示手段を備え、
前記枚数設定手段は、前記取込み指示手段による指示が入力された際に前記表示手段に表示される枚数設定画面により構成される請求項１に記載の医用画像管理装置。
【請求項３】
コンピュータを、
医用画像を受信する受信手段、
医用画像を記憶する医用画像記憶手段、
患者情報を記憶する患者情報記憶手段、
前記患者情報記憶手段に患者情報が記憶されている患者の中から診断対象の患者を指定するための操作手段、
前記受信手段により受信される医用画像を前記操作手段により指定された患者の医用画像として取込む指示を入力するための取込み指示手段、
前記指定された患者の医用画像として取込む画像の枚数を設定するための枚数設定手段、
前記取込み指示手段による指示が入力された後、前記設定された画像枚数に到達するまで、前記受信手段により受信された医用画像を前記指定された患者の患者情報と対応付けて前記医用画像記憶手段に記憶させる制御手段、
として機能させるためのプログラム。
【発明の詳細な説明】
【技術分野】
【０００１】
本発明は、医用画像管理装置及びプログラムに関する。
【背景技術】
【０００２】
従来、開業医やクリニック等の小規模医療施設向けに、患者を撮影して得られた医用画像を簡単な操作で間違いなくその患者の患者情報と対応付けて保存するための各種技術が提案されている。例えば、特許文献１には、操作部により指定された患者の診断用画面が表示されている間に、放射線画像読取装置等の画像生成装置から医用画像が受信されると、オンラインボタンを点滅させ、点滅されたオンラインボタンが押下されると、受信された医用画像を上記診断用画面に表示するとともに自動的に上記指定された患者の患者情報に対応付けてデータベースに保存する装置が記載されている。
【０００３】
また、操作部により指定された患者の診断用画面に画像取込ボタンを設け、画像取込ボタンが押下されると、画像取込みモードに移行し、その後に画像生成装置から送信された医用画像を診断用画面に表示するとともに上記指定された患者の患者情報と対応付けて保存する装置も知られている。
【特許文献１】特開２００７−３３０５９２号公報
【発明の開示】
【発明が解決しようとする課題】
【０００４】
上述の画像取込みボタンを用いた技術では、画像取込みモードを解除する操作を行わない限り、受信された医用画像は指定された患者の医用画像として取込まれる。そのため、別の患者の診断用画面に移る前に、画像取込みモードを解除する操作をしなければならず、煩雑であった。また、画像取込みモードの解除を忘れた場合、別の患者を撮影した医用画像が画像取込みボタンを押下した時点の患者情報と対応付けられて保存されてしまう可能性があった。
【０００５】
本発明の課題は、医用画像と患者情報との対応付けを間違いなく行えるようにすることである。
【課題を解決するための手段】
【０００６】
上記課題を解決するため、請求項１に記載の発明の医用画像管理装置は、
医用画像を受信する受信手段と、
医用画像を記憶する医用画像記憶手段と、
患者情報を記憶する患者情報記憶手段と、
前記患者情報記憶手段に患者情報が記憶されている患者の中から診断対象の患者を指定するための操作手段と、
前記受信手段により受信される医用画像を前記操作手段により指定された患者の医用画像として取込む指示を入力するための取込み指示手段と、
前記指定された患者の医用画像として取込む画像の枚数を設定するための枚数設定手段と、
前記取込み指示手段による指示が入力された後、前記設定された画像枚数に到達するまで、前記受信手段により受信された医用画像を前記指定された患者の患者情報と対応付けて前記医用画像記憶手段に記憶させる制御手段と、
を備える。
【０００７】
請求項２に記載の発明は、請求項１に記載の発明において、
表示手段を備え、
前記枚数設定手段は、前記取込み指示手段による指示が入力された際に前記表示手段に表示される枚数設定画面により構成される。
【０００８】
請求項３に記載の発明のプログラムは、
コンピュータを、
医用画像を受信する受信手段、
医用画像を記憶する医用画像記憶手段、
患者情報を記憶する患者情報記憶手段、
前記患者情報記憶手段に患者情報が記憶されている患者の中から診断対象の患者を指定するための操作手段、
前記受信手段により受信される医用画像を前記操作手段により指定された患者の医用画像として取込む指示を入力するための取込み指示手段、
前記指定された患者の医用画像として取込む画像の枚数を設定するための枚数設定手段、
前記取込み指示手段による指示が入力された後、前記設定された画像枚数に到達するまで、前記受信手段により受信された医用画像を前記指定された患者の患者情報と対応付けて前記医用画像記憶手段に記憶させる制御手段、
として機能させる。
【発明の効果】
【０００９】
本発明によれば、医用画像と患者情報との対応付けを間違いなく行うことが可能となる。
【発明を実施するための最良の形態】
【００１０】
以下、図面を参照して本発明に係る実施の形態を詳細に説明する。ただし、発明の範囲は、図示例に限定されない。
【００１１】
〔小規模診断システム１の構成〕
図１は、本実施の形態における小規模診断システム１の全体構成を示す図であり、図２は、小規模診断システム１を適用した場合の各装置の医療施設における配置例を示すものである。
【００１２】
小規模診断システム１は、開業医やクリニック等の比較的小規模の医療施設に適用されるシステムであり、図１に示すように、放射線画像読取装置２と、医用画像管理装置３と、受付装置４と、から構成されている。小規模診断システム１を構成する各装置は、例えば図示しないスイッチングハブ等を介してＬＡＮ（Local Area Network）等の通信ネットワーク（以下単に「ネットワーク」という）５に接続されている。医用画像管理装置３は、医師の常駐場所である診察室に設けられたＷＳ（ワークステーション）であることが好ましい。なお、この医用画像管理装置３として作動するＷＳが各放射線画像読取装置２の起動や処理条件等を制御する構成としてもよい。
【００１３】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施の形態に適用可能な通信方式はこれに限定されない。
【００１４】
開業医やクリニック等のような小規模の医療施設においては、各装置は、例えば図２に示すように配置される。
すなわち、入口１０を入ると患者の受付けを行う受付１１と待合室１２がある。受付１１には窓口担当が配置され、当該担当は、来院した患者に対して、例えば、受付順に個々の患者を区別するための受付番号が印刷された受付番号札を付与する。また、受付１１には、受付装置４が設けられており、窓口担当は、患者の氏名を聞き取り、受付装置４に受付番号と患者氏名との対応付けを入力する。
【００１５】
待合室１２の隣には、ドア等を隔てて医師が患者の診察、診断等を行う診察室１３が設けられている。例えば診察室１３内の診察用のデスク（図示せず）の上には、医師による診断のために、患者の診断対象部位を被写体として撮影した医用画像等を表示させる医用画像管理装置３が配置されている。
【００１６】
また、廊下１４を隔てて診察室１３の向かい側には放射線撮影を行う放射線撮影室１５が設けられている。放射線撮影室１５内には、放射線撮影装置６及び放射線画像読取装置２が配設されている。さらに、放射線撮影室１５の隣には血液検査等の検体検査を行うための検査室１６が設けられている。
【００１７】
〔小規模診断システム１の各装置の装置構成〕
以下、小規模診断システム１を構成する各装置について説明する。
放射線画像読取装置２は、ＣＲカセッテ（図示せず）から医用画像を読み取るものである。
ＣＲカセッテは、例えば放射線エネルギーを蓄積する輝尽性蛍光体シートを備える放射線画像変換プレートを内蔵しており、撮影時には放射線撮影装置６の放射線源（図示せず）から照射される放射線の照射領域内に配置される。ＣＲカセッテは、放射線が照射されると被写体の放射線透過率分布に従った量の放射線を輝尽性蛍光体シートの輝尽性蛍光体層に蓄積させ、この輝尽性蛍光体層に被写体の放射線画像情報を記録する。
【００１８】
放射線画像読取装置２は、被写体の放射線画像情報が記録されたＣＲカセッテが装填されると、装置内に装填されたＣＲカセッテ内の輝尽性蛍光体シートに励起光を照射し、これによりシートから発光される輝尽光を光電変換し、得られた画像信号をＡ／Ｄ変換して医用画像の画像データを生成する。そして、生成された医用画像にＵＩＤ、検査情報（検査ＩＤ、検査部位、撮影日付等）を付与して医用画像管理装置３に送信する。
なお、放射線画像読取装置２は、放射線撮影装置６と一体となった一体型の装置であってもよい。
【００１９】
医用画像管理装置３は、例えば診察室１３に設置され、放射線画像読取装置２により読み取られた医用画像を患者情報と対応付けて画像ＤＢ（Data Base）３３１に保存したり、医師が患者の医用画像を表示させて読影診断を行ったりするための装置であり、一般的なＰＣ（Personal Computer）に用いられるモニタ（表示部）よりも高精細のモニタを備えるものであってもよい。
【００２０】
医用画像管理装置３は、図３に示すように、制御部３１、ＲＡＭ３２、記憶部３３、操作部３４、表示部３５、通信部３６を備えて構成されており、各部はバス３７により接続されている。
【００２１】
制御部３１は、ＣＰＵ（Central Processing Unit）等により構成され、記憶部３３に
記憶されているシステムプログラムや処理プログラム等の各種プログラムを読み出してＲＡＭ３２に展開し、展開されたプログラムに従って後述する画像取込制御処理（図８〜図９参照）をはじめとする各種処理を実行する。
【００２２】
ＲＡＭ３２は、制御部３１により実行制御される各種処理において、記憶部３３から読み出された制御部３１で実行可能な各種プログラム、入力若しくは出力データ、及びパラメータ等の一時的に記憶するワークエリアを形成する。また、ＲＡＭ３２は、患者情報記憶手段として、受付装置４から送信された患者情報のリストを記憶する。
【００２３】
記憶部３３は、ＨＤＤ（Hard Disk Drive）や半導体の不揮発性メモリ等により構成さ
れる。記憶部３３には、前述のように各種プログラムが記憶されているほか、医用画像を診断に適した画質に調整するための画像処理パラメータ（階調処理に用いる階調曲線を定義したルックアップテーブル、周波数処理の強調度等）等が記憶されている。
また、記憶部３３は、放射線画像読取装置２から送信された医用画像を格納する画像ＤＢ（Data Base）３３１を有しており、医用画像記憶手段として医用画像を記憶する。
【００２４】
画像ＤＢ３３１は、当該画像ＤＢ３３１に格納されている医用画像に関する情報を格納する画像情報テーブル３３１ａを有している。図４に、画像情報テーブル３３１ａの一例を示す。図４に示すように、画像情報テーブル３３１ａは、「レコード番号」フィールド、「ＵＩＤ」フィールド、「撮影日時」フィールド、「検査ＩＤ」フィールド、「検査部位」フィールド、「患者ＩＤ」フィールド、・・・「ファイル格納場所」フィールド等を有し、放射線画像読取装置２から送信された各医用画像に関する検査情報（撮影日時、検査ＩＤ、検査部位等）、患者情報（患者ＩＤ等）、ファイル格納場所等を１レコードとして格納する。なお、「ファイル格納場所」フィールドには、医用画像のファイル格納場所を示す情報が格納される。
【００２５】
操作部３４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部３１に出力する。
【００２６】
表示部３５は、例えば、ＣＲＴ（Cathode Ray Tube）やＬＣＤ（Liquid Crystal Display）等のモニタを備えて構成されており、制御部３１から入力される表示信号の指示に従って、各種画面を表示する。例えば、表示部３５は、制御部３１からの指示に従って、後述する患者情報リスト画面３５０、ビューア画面３５１、設定画面３５２、枚数設定画面３５３等を表示する。
【００２７】
通信部３６は、ネットワークインターフェース等により構成され、スイッチングハブを介してネットワーク５に接続された放射線画像読取装置２や受付装置４との間でデータの送受信を行う。
【００２８】
受付装置４は、来院した患者の受付登録、会計計算、保険点数計算等を行うためのコンピュータ装置であり、ＣＰＵ、ＲＯＭ、ＲＡＭ等により構成される記憶部、キーボードやマウス等により構成される入力部、ＣＲＴやＬＣＤ等により構成される表示部、ネットワーク５に接続された各装置との通信を制御する通信部（いずれも図示せず）等を備えて構成されている。受付装置４は、入力部より受付入力画面の表示が指示されると、ＣＰＵと記憶部に記憶されたプログラムとの協働によるソフトウエア処理により、表示部に図示しない受付入力画面を表示する。この受付入力画面を介して入力部により受付情報（受付番号＋患者情報等）が入力されると、受付された患者の患者情報リストを作成（更新）して記憶部に記憶し、通信部により適宜医用画像管理装置３に対して送信する。
【００２９】
〔診察の流れ〕
次に、小規模診断システム１が適用された小規模な医療施設における、一の患者についての診察の流れについて説明する。
【００３０】
患者が来院すると、受付１１において、患者に対し受付番号札が付与され、受付装置４において、入力部の操作により受付された患者の受付番号及び患者氏名等の患者情報リストを構成する各種の患者情報の入力（受付入力）が行われる。受付装置４においては、患者の受付番号及び患者情報等が入力されると、患者情報のリスト（患者情報リスト）が生成（更新）され、受付装置４内の記憶部の所定領域に格納される。患者情報リストは、例えば、その日の最初の患者が受付入力されると生成され、次の患者が受付入力される毎に新しい患者情報リストに更新される。患者情報リストは、受付装置４内の記憶部から適宜医用画像管理装置３に送信され、医用画像管理装置３のＲＡＭ３２に記憶される。
【００３１】
受付番号が付与された患者が診察室に移動すると、医師は患者に問診を行い、撮影を行うか否かを決定する。撮影が必要であると決定した場合、医師は、医用画像管理装置３において、操作部３４の所定の操作により、受付装置４から送信された患者情報のリストを表示する患者情報リスト画面３５０を表示部３５に表示し、表示された患者情報リストの中から診断対象の患者の患者情報を指定することにより、表示部３５に当該患者についてのビューア画面３５１を表示する。
【００３２】
図５に、患者情報リスト画面３５０の一例を示す。図５に示すように、患者情報リスト画面３５０には、来院した患者の診療日、受付時間、受付番号、診療料、担当医、患者ＩＤ、患者氏名（漢字・カナ・ＡＳＣＩＩ）、性別、生年月日、年齢といった患者情報が一覧として表示される。なお、患者情報リスト画面３５０に表示される内容はここに例示したものに限定されない。このうちの一部のみでもよいし、さらに多くの項目が表示されるようになっていてもよい。
【００３３】
患者情報リスト画面３５０に表示された患者情報の中から任意の患者の欄を指定（画面上の任意の患者の欄をマウス等の操作部３４で選択する）ことにより、患者が指定されると、表示部３５の表示画面が、当該指定された患者に対応するビューア画面３５１に遷移する。
このように、本実施形態では、表示部３５の患者情報リスト画面３５０から診断対象の患者を指定することができるようになっており、患者情報リスト画面３５０と操作部３４により診断対象の患者を指定するための操作手段が構成されている。
【００３４】
図６に、ビューア画面３５１の一例を示す。ビューア画面とは、診断に用いる医用画像を表示し、医師が読影診断を行うための診断用画面である。図６に示すように、ビューア画面３５１には、患者表示欄７１、リスト画面ボタン７２、画像表示欄７３、画像取込ボタン７４、各種ツールボタン７５、診断終了ボタン７６等が設けられている。
【００３５】
患者表示欄７１は、診断対象として指定された患者の患者ＩＤ及び患者氏名を表示する。この患者表示欄７１により、現在どの患者のビューア画面３５１が表示されているかを医師が視認できるようになっている。
リスト画面ボタン７２は、患者情報リスト画面３５０に戻る指示を入力するためのボタンである。
画像表示欄７３は、医用画像を表示するための領域である。
画像取込ボタン７４は、画像取込モードへの移行／解除を指示するためのボタンである。画像取込モードは、ネットワーク５に接続されている放射線画像読取装置２において取得された医用画像を現在診断対象となっている患者（患者表示欄７１に表示されている患者）の医用画像として取込むモードである。具体的には、放射線画像読取装置２において取得された医用画像を診断対象となっている患者の患者情報に対応付けて画像ＤＢ３３１に保存する。画像取込ボタン７４は、一度押下されると画像取込モードへの移行を指示するボタン（即ち、放射線画像読取装置２から送信される医用画像を診断対象となっている患者の医用画像として取込むことを指示する取込み指示手段）として機能し、画像取込モードにおいて押下されると画像取込モードの解除を指示するボタンとして機能する。
各種ツールボタン７５は、画像表示欄７３に表示された医用画像を見やすく表示するための各種機能を実行させるためのボタンである。ツールボタン７５としては、例えば、表示された医用画像に濃度コントラスト調整処理、白黒反転処理、拡大縮小処理等の画像処理を施すための各種画像処理ボタン、診断用画像の病変部に重畳するアノテーションの形状を選択するためのボタン等がある。
診断終了ボタン７６は、ビューア画面３５１を閉じて患者情報リスト画面３５０に戻る指示を入力するためのボタンである。
【００３６】
医師は、上記のビューア画面３５１が表示されると、操作部３４により画像取込ボタン７４を押下する。次いで、医師は、放射線撮影装置６の前に患者を連れて行き、診断対象部位を被写体として撮影を行う。具体的には、放射線撮影装置６の放射線源とＣＲカセッテの間に患者の診断対象部位を配置して撮影を行う。撮影が終了すると、医師は、撮影済みのＣＲカセッテを放射線画像読取装置２にセットする。
放射線画像読取装置２においては、ＣＲカセッテがセットされると、セットされたＣＲカセッテからの画像の読み取りが行われる。読み取られた医用画像は、ネットワーク５を介して医用画像管理装置３へ送信される。医用画像管理装置３においては、放射線画像読取装置２から送信された医用画像がビューア画面３５１に表示される。
【００３７】
撮影が終了すると、医師及び患者は診察室１３に戻り、ビューア画面３５１に表示されている医用画像に基づいて、患者の画像診断を行う。
【００３８】
〔医用画像管理装置３の動作〕
次に、医用画像管理装置３の動作について詳細に説明する。
医用画像管理装置３は、設定モードと診断モードの２つの動作モードを有する。設定モードは、診断モードにおける各種設定を行うためのモードである。診断モードは、患者情報リスト画面３５０やビューア画面３５１等を表示し、医師の診断を支援するためのモードである。動作モードは、操作部３４の所定の操作に応じて、制御部３１により切り替えられる。
【００３９】
設定モードでは、例えば、ビューア画面３５１において画像取込ボタン７４が押下された際の動作をユーザが設定することができる。
図７に、設定モードにおいて表示部３５に表示される設定画面３５２の一例を示す。図７に示すように、設定画面３５２には、取込み画像枚数セット欄８１が設けられている。
この取込み画像枚数セット欄８１には、ＯＮボタン８１ａ、チェックボックス８１ｂ、ＯＦＦボタン８１ｃが設けられている。ＯＮボタン８１ａは、画像取込ボタン７４が押下された際に取込み画像枚数の入力を受け付ける機能をＯＮにすることを設定するためのボタンである。チェックボックス８１ｂは、取込み画像枚数分の画像取込みが終了した場合に自動的にビューア画面３５１を閉じる（自動診断終了と呼ぶ）ことを設定するための欄である。このチェックボックス８１ｂは、ＯＮボタン８１ａが押下された際に入力が有効となる。ＯＦＦボタン８１ｃは、画像取込ボタン７４が押下された際に取込み画像枚数の入力を受け付ける機能をＯＦＦにすることを設定するためのボタンである。
設定モードにおける設定内容は、記憶部３３に記憶される。
【００４０】
次に、診断モードにおける動作について説明する。
図８〜図９に、診断モードにおいて制御部３１により実行される画像取込制御処理のフローを示す。当該処理は、制御部３１と記憶部３３に記憶されているプログラムとの協働により実行される。
【００４１】
まず、ＲＡＭ３２から患者情報のリストが読み出され、表示部３５に、患者情報リスト画面３５０が表示される（ステップＳ１）。操作部３４により診断対象となる患者が患者情報リスト画面３５０から指定されると（ステップＳ２）、指定された患者のビューア画面３５１が表示部３５に表示される（ステップＳ３）。
【００４２】
次いで、操作部３４により画像取込ボタン７４が押下され、画像取込モードへの移行が指示されたか否かが判断される（ステップＳ４）。画像取込ボタン７４が押下されていないと判断されると（ステップＳ４；ＮＯ）、処理はステップＳ３に戻る。
【００４３】
一方、操作部３４により画像取込ボタン７４が押下され、画像取込モードへの移行が指示されたと判断されると（ステップＳ４；ＹＥＳ）、記憶部３３が参照され、取込み画像枚数の入力を受け付ける機能がＯＮになっているか否かが判断される（ステップＳ５）。取込み画像枚数の入力を受け付ける機能がＯＮになっていると判断されると（ステップＳ５；ＹＥＳ）、ビューア画面３５１に枚数設定画面３５３がポップアップ表示される（ステップＳ６）。
【００４４】
図１０に、ステップＳ６においてビューア画面３５１上に表示される枚数設定画面３５３の一例を示す。図１０は、ビューア画面３５１における画像取込ボタン７４付近を拡大して示した図である。図１０に示すように、枚数設定画面３５３には、取込み画像枚数入力欄９１、ＯＫボタン９２、キャンセルボタン９３が設けられている。取込み画像枚数入力欄９１は、放射線画像読取装置２から取込む画像の枚数（取込み画像枚数）を入力する欄である。ＯＫボタン９２は、入力された取込み画像枚数をＲＡＭ３２に保存して枚数設定画面３５３を閉じるとともに、画像取込モードへの移行指示を確定させるためのボタンである。キャンセルボタン９３は、取込み画像枚数を保存せずに枚数設定画面３５３を閉じる指示を入力するためのボタンである。キャンセルボタン９３が押下された場合は、画像取込ボタン７４から入力された画像取込モードへの移行指示は無効となる。
【００４５】
枚数設定画面３５３において操作部３４により取込み画像枚数が入力され、ＯＫボタン９２が押下されることにより画像取込みモードへの移行指示が確定されると（ステップＳ７；ＹＥＳ）、処理はステップＳ８に移行する。枚数設定画面３５３においてキャンセルボタン９３が押下され、画像取込みモードへの移行を無効にする指示が入力されると（ステップＳ７；ＮＯ）、処理はステップＳ４に戻る。
【００４６】
ステップＳ８においては、カウンタ変数ｎに１が格納され（ステップＳ８）、通信部３６により放射線画像読取装置２から送信された医用画像が受信されたか否かが判断される（ステップＳ９）。放射線画像読取装置２から送信された医用画像が通信部３６により受信されたと判断されると（ステップＳ９；ＹＥＳ）、受信された医用画像が表示部３５に表示されているビューア画面３５１の画像表示欄７３に表示されるとともに（ステップＳ１０）、受信された医用画像がステップＳ２で指定された患者の患者情報と対応付けて記憶部３３に記憶される（ステップＳ１１）。具体的には、受信された医用画像が画像ＤＢ３３１に格納されるとともに、取込まれた各医用画像に関する情報、即ち、ＵＩＤ、検査情報、患者情報、ファイル格納場所が画像情報テーブル３３１ａに格納される。患者情報としては、ステップＳ２で指定された患者の患者ＩＤ等が格納される。
【００４７】
医用画像が記憶部３３に記憶されると、カウンタ変数ｎが設定された画像枚数に到達したか否かが判断される（ステップＳ１２）。カウンタ変数ｎが設定された取込み画像枚数に到達していないと判断されると（ステップＳ１２；ＮＯ）、カウンタ変数ｎが１インクリメントされ（ステップＳ１３）、処理はステップＳ９に戻る。なお、取込み画像枚数の入力を受け付ける機能がＯＮになっていない場合は、１枚が取込み画像枚数である。カウンタ変数ｎが設定された取込み画像枚数に到達したと判断されると（ステップＳ１２；ＹＥＳ）、処理はステップＳ１５に移行する。
【００４８】
一方、ステップＳ９において、通信部３６により医用画像が受信されず（ステップＳ９；ＮＯ）、操作部３４により画像取込ボタン７４が押下され、画像取込モードの解除が指示されると（ステップＳ１４；ＹＥＳ）、処理はステップＳ１５に移行する。
【００４９】
ステップＳ１５においては、画像取込動作が停止され（ステップＳ１５）、診断終了が指示されたか否かが判断される（ステップＳ１６）。具体的には、操作部３４の診断終了ボタン７６が押下されるか、又は、記憶部３３に自動診断終了を行う設定が記憶されている場合、診断終了が指示されたと判断される。診断終了が指示されていないと判断されると（ステップＳ１６；ＮＯ）、処理はステップＳ４に戻る。診断終了が指示されたと判断されると（ステップＳ１６；ＹＥＳ）、処理はステップＳ１に戻り、表示部３５に患者情報リスト画面３５０が表示される。
【００５０】
上記ステップＳ１〜Ｓ１６の処理は、操作部３４により医用画像管理装置３の動作モードが設定モードに切り替えられるか又は電源が遮断されるまで繰り返し実行される。
【００５１】
以上説明したように、医用画像管理装置３によれば、制御部３１は、ビューア画面３５１において操作部３４により診断対象の患者が指定され、画像取込ボタン７４が押下されると、上記指定された患者の医用画像として取込む画像の枚数を設定するための枚数設定画面３５３を画面上にポップアップ表示する。枚数設定画面３５３において枚数が入力され、ＯＫボタン９２が押下されると、通信部３６により受信された医用画像を上記指定された患者の患者情報と対応付けて記憶し、設定された枚数に到達すると、画像取込動作を停止する。
【００５２】
従って、枚数設定画面３５３から設定された枚数以上の医用画像が受信されても、診断対象として指定された患者に対応付けられることはなく、設定された枚数の医用画像のみが指定された患者の患者情報と対応付けて記憶されるので、別の患者の医用画像を誤って取込んでしまうことが防止され、受信された医用画像と患者情報との対応付けを間違いなく行うことが可能となる。
【００５３】
また、枚数設定画面３５３は、画像取込ボタン７４が押下された際に表示されるので、患者の状態に応じて取込む画像の枚数を設定することが可能となる。
【００５４】
なお、上記実施形態における記述内容は、本発明の好適な一例であり、これに限定されるものではない。
例えば、上記実施形態においては、枚数設定画面３５３で設定された枚数の画像が指定された患者と対応付けられるか又は再度画像取込ボタン７４が押下されるまで、画像取込動作を停止しないこととしたが、画像取込ボタン７４が押下されてから予め定められた一定時間以上医用画像が受信されない場合は、自動的に画像取込み動作を停止するようにしてもよい。
【００５５】
また、例えば、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【００５６】
その他、医用画像管理装置３の細部構成及び細部動作に関しても、発明の趣旨を逸脱することのない範囲で適宜変更可能である。
【図面の簡単な説明】
【００５７】
【図１】本発明の実施の形態における小規模診断システムの全体構成例を示す図である。
【図２】図１に示す小規模診断システムを適用した場合の各装置の医療施設における配置例を示す図である。
【図３】図１の医用画像管理装置の機能的構成を示すブロック図である。
【図４】図３の記憶部に記憶される画像ＤＢの画像情報テーブルのデータ格納例を示す図である。
【図５】図３の表示部に表示される患者情報リスト画面の一例を示す図である。
【図６】図３の表示部に表示されるビューア画面の一例を示す図である。
【図７】図３の表示部に表示される設定画面の一例を示す図である。
【図８】図３の制御部により実行される画像取込制御処理を示すフローチャートである。
【図９】図３の制御部により実行される画像取込制御処理を示すフローチャートである。
【図１０】図３の表示部に表示される枚数設定画面の一例を示す図である。
【符号の説明】
【００５８】
１  小規模診断システム
２  放射線画像読取装置
３  医用画像管理装置
４  受付装置
５  ネットワーク
６  放射線撮影装置
３１  制御部
３２  ＲＡＭ
３３  記憶部
３３１  画像ＤＢ
３４  操作部
３５  表示部
３５０  患者情報リスト画面
３５１  ビューア画面
７１  患者表示欄
７２  リスト画面ボタン
７３  画像表示欄
７４  画像取込ボタン
７５  ツールボタン
７６  診断終了ボタン
３５２  設定画面
８１  取込み画像枚数セット欄
８１ａ  ＯＮボタン
８１ｂ  チェックボックス
８１ｃ  ＯＦＦボタン
３５３  枚数設定画面
９１  取込み画像枚数入力欄
９２  ＯＫボタン
９３  キャンセルボタン
３６  通信部
３７  バス
【図１】
2010125021.tif 000003
【図２】
2010125021.tif 000004
【図３】
2010125021.tif 000005
【図４】
2010125021.tif 000006
【図５】
2010125021.tif 000007
【図６】
2010125021.tif 000008
【図７】
2010125021.tif 000009
【図８】
2010125021.tif 000010
【図９】
2010125021.tif 000011
【図１０】
2010125021.tif 000012